(57)【特許請求の範囲】
【請求項１】
一方面と、他方面とを有するクッション部と、
前記クッション部の前記一方面側に設けられた洗浄部と
前記クッション部の前記他方面側に設けられた外部部材取付け部とを含み、
前記洗浄部は前記クッション部の前記一方面側において前記クッション部の前記一方面に直交する方向に突出する複数の突出した突出毛を含み、
前記突出毛の密度は１５０〜２００本／ｃｍ２であり、
突出毛の突出長さは１．５〜２．５ｍｍであり、
前記クッション部の密度は２０〜４０ｋｇ／ｍ３であり、
前記クッション部の厚さは２０ｍｍ〜３０ｍｍである、洗浄パッド。
【請求項２】
前記クッション部の硬さは２００〜３００Ｎである、請求項１に記載の洗浄パッド。
【発明の詳細な説明】
【技術分野】
【０００１】
この発明は洗浄パッドに関し、特に、凹部や平滑部を有する床面を容易に洗浄できる洗浄パッドに関する。
【背景技術】
【０００２】
従来の家庭用の洗浄パッドがたとえば、特開２０１０−９９１３４号公報（特許文献１）に開示されている。同公報によれば、洗浄具は、カットパイル３ａ群からなる洗浄用の柔軟な立毛層部３が地組織部４の表裏面の一方面に備えられている洗浄用布帛５であって、厚み方向の圧縮力で厚み寸法が０．３ｍｍ減少したときの圧縮応力（ｍｇｆ／ｃｍ2（ただし、１ｍｇｆ／ｃｍ2＝１×１０-6ｋｇｆ／ｃｍ2））を立毛層部３の単繊維密度（本／ｃｍ2）で除して算出される初期圧縮応力指数（ｍｇｆ／本）が０．１〜１５．０である。一般家庭レベルの汚れに対する洗浄性能は十分に有しながらも、被洗浄物に細かな傷が付くことを抑止している。
【先行技術文献】
【特許文献】
【０００３】
【特許文献１】特開２０１０−９９１３４号公報
【発明の概要】
【発明が解決しようとする課題】
【０００４】
従来の家庭用の洗浄パッドは上記のように構成されていた。家庭用であるため、手で持ったときに洗浄が容易なように洗浄具の厚み方向の圧縮力等が定められていた。
【０００５】
しかしながら、このような特性であると、業務用の棒部材の先端に設けられたホルダを介して取付けて使用される洗浄パッドには適さないという問題があった。
【０００６】
この発明は、棒部材の先端に設けられたホルダを介して取付けて使用されるような、業務用の洗浄パッドにおいて、容易に床面の汚れを除去可能な洗浄パッドを提供することを目的とする。
【課題を解決するための手段】
【０００７】
この発明に係る洗浄パッドは、一方面と、他方面とを有するクッション部と、クッション部の一方面側に設けられた洗浄部と、クッション部の他方面側に設けられた外部部材取付け部とを含む。洗浄部はクッション部の一方面側においてクッション部の一方面に直交する方向に突出する複数の突出した突出毛を含み、突出毛の密度は１５０〜２００本／ｃｍ２であり、突出長さは１．５〜２．５ｍｍであり、クッション部の密度は２０〜４０ｋｇ／ｍ３である。
【０００８】
好ましくは、クッション部の硬さは２００〜３００Ｎである。
【０００９】
さらに好ましくは、クッション部の厚さは２０ｍｍ〜３０ｍｍである。
【発明の効果】
【００１０】
この発明に係る洗浄パッドの洗浄部はクッション部の一方面側においてクッション部の一方面に直交する方向に突出する複数の突出した突出毛を含み、突出毛の密度は１５０〜２００本／ｃｍ２であり、突出長さは１．５〜２．５ｍｍであり、クッション部の密度は２０〜４０ｋｇ／ｍ３であるため、突出毛が床の汚れ面に容易に入り込み、床面の汚れを少ない洗剤の量で洗浄可能である。
【００１１】
その結果、容易に床面の汚れを除去可能な業務用の洗浄パッドを提供できる。
【図面の簡単な説明】
【００１２】
【図１】この発明の一実施の形態に係る洗浄パッドの斜視図である。
【図２】図１に示した洗浄パッドの洗浄部の拡大図である。
【図３】洗浄パッドを清掃用ホルダに取付ける状態を示す図である。
【図４】洗浄パッドで凹凸を有する床面を洗浄する状態を示す図である。
【図５】洗浄パッドで凹部を洗浄する状態を示す拡大図である。
【発明を実施するための形態】
【００１３】
以下、この発明の第１実施の形態を、図面を参照して説明する。図１はこの発明の１実施の形態に係る洗浄パッドの斜視図である。図１を参照して、この実施の形態に係る洗浄パッド１０は全体が平板状であり、洗浄剤を含ませて被洗浄部を洗浄するための洗浄部１１と、洗浄部１１を支持するクッション性を有するスポンジ状のクッション部材１２と、クッション部材１２の洗浄部１１とは反対側に設けられ、人が作業時に把持する把持部を有する棒状部材等を取り付けるための外部部材取付部１３とを含む。
【００１４】
洗浄パッド１０の厚さ方向の寸法は、洗浄部１１が厚さｔ１＝１．５〜２．５ｍｍであり、クッション部材１２が厚さｔ２＝２０〜３０ｍｍであり、取付部１３が厚さｔ３＝１．５〜２．５ｍｍである。
【００１５】
図２は図１に示した洗浄部１１の表面の拡大図である。図２を参照して、洗浄部１１はクッション部１２の一方面において、クッション部１２の有する平面に直交する方向に複数の毛状部材１１ａが密集しながら、ほぼ同一寸法で突出している。この複数の毛状部材１１ａの突出方向は、クッション部材１２の有する平面に直交する方向に限らず、多少（０°〜１０°程度）傾斜していてもよい。この部分が床面の洗浄ブラシとして作用する。
【００１６】
図３は、図１に示した洗浄パッド１０を、業務用の棒部材の先端に設けられたホルダを介して取付ける状態（図３（Ａ））と、取付けた洗浄パッドを用いて床面を洗浄する状態を示す図である。図３を参照して、洗浄パッド１０は、棒部材２０の先端に設けられた矩形の平板状のホルダ２１に取付けられる。このようにして取付けられた洗浄パッド１０は目の不自由な人のガイドとなる凹凸が設けられた床面やエンボス床面３０上の汚れ等を容易に除去可能である。
【００１７】
図４はこの洗浄状態を説明するための床面の拡大図である。図４を参照して、床面３０には凹部３１が設けられている。凹部３１は、傾斜部３１ａと、凹部底面３１ｃと、傾斜部３１ａと凹部底面３１ｃとの交わる隅部３１ｂとを含む。洗浄パッド１０の洗浄部１１の毛状突起部は、隅部２１ｂに十分当接する寸法であるため、隅部２１ｂに当接して図中矢印方向に移動することにより、隅部２１ｂに固着した異物を除去可能であるとともに、凹部底面２１ｃだけでなく、隅部や傾斜部２１ａの汚れも除去可能である。なお、ここでは、少量の洗浄剤を用いて洗浄するものとする。
【００１８】
すなわち、この実施の形態に係る洗浄パッド１０の洗浄部１１は、被洗浄部の内部に当接可能な毛状部材（突起部）１１ａを有し、かつ、毛状部材１１ａは、隅部に当接した後に、異物等を排除可能な腰を有している。
【００１９】
次に洗浄パッド１０を構成する各部材について説明する。まず、洗浄部１１について説明する。洗浄部１１はブラシ状の毛状部材であり、ポリエステルで構成されている。この実施の形態においては、この毛状部材の腰は、毛状部材を構成するポリエステルの径寸法や密度で規定される。ここでは、毛状部材を構成するポリエステルは、特許文献１と同様に、２８０デシテックス／４８フィラメントであってもよく、その密度は１５０〜２００本／ｃｍ２である。クッション部１２はスポンジ状でありポリウレタンフォームで構成されている。取付部１３はナイロンで構成されている。それぞれの部材の詳細を表１に示す。
【００２０】
なお、洗浄部とクッション部とはポリウレタンポリマーの接着剤で接着されている。この接着は、クッション部の表面を熱で溶かして洗浄部を熱溶着してもよい。
【００２１】
【表１】
0005787528.tif 000002
【００２２】
次に、この洗浄パッド１０を他の同様の洗浄用具と比較して説明する。
【００２３】
ここでは、凹凸のあるエンボス床や平滑な床に汚れを付着させ、この発明の一実施例である洗浄パッド１０と、比較例として、従来のデッキブラシと、従来の本願と同様の構成を有する洗浄パッドと、真鍮ブラシとで洗浄した場合の汚れ落ちの程度を比較する。なお、それぞれの具体的寸法は表２に示すとおりである。また、このテストに用いた資材を表３に示す。
【００２４】
【表２】
0005787528.tif 000003
【００２５】
【表３】
0005787528.tif 000004
【００２６】
次に、テスト方法について説明する。図５に示すように、床材４０にクレヨンで２ｃｍ×２ｃｍの四角形を描き、塗りつぶして汚れ部分４１を形成し、写真をとる。
【００２７】
テストサンプル４２と床面４０を水で濡らす。
【００２８】
テストサンプル４２の上に重り４３を載せて、クレヨン形成した汚れ部分４１の上を図中矢印で示すように３回往復させる。
【００２９】
往復後の４角形に２ｃｍ×２ｃｍ分くりぬいた紙をかぶせて、外形の違いを確認して、写真撮影した。
【００３０】
上記の内容を、実施例として１種、比較例として３種の計４種について、床材２種、計８条件で同様のテストを実施した。なお、実施例の洗浄部の厚さは、その中央部、及び４隅近傍について１０個分を測定したとき、その厚みの最小値から最大値は、１．８ｍｍ〜２．２ｍｍであり、その平均値は１．９８ｍｍであった。
【００３１】
汚れの落ち具合に応じて１０段階で評価した。ここで、１０段階評価は、汚れが全く除去できていない状態を１とし、完全除去できた状態を１０とし、半分くらい除去できた状態を５として表す。その結果を表４に示す。
【００３２】
【表４】
0005787528.tif 000005
【００３３】
表４から明らかなように、実施例である洗浄パッドは他の洗浄器具に対して十分な洗浄効果を発揮する。
【００３４】
なお、上記実施の形態においては、洗浄部の厚さが約２ｍｍの場合について説明したが、平均厚さが約１．８〜２．５ｍｍであれば床用洗浄部として適している。
【００３５】
さらに、この実施の形態に係る洗浄パッドを用いて床面を洗浄するときは、洗浄部の毛状部材の材質および密度と、クッション部材の硬さおよび厚さ関係している。したがって、手動で床面を洗浄するときは、洗浄部の毛状部材の厚さおよび密度と、クッション部材の硬さおよび厚さは、それぞれ、洗浄部の厚さｔ１＝１．５〜２．５ｍｍであり、密度は１５０〜２００本／ｃｍ２であり、クッション部材の硬さが２３０±３０Ｎであり、厚さｔ２＝２０〜２５ｍｍである。
【００３６】
一方、電動のポリッシャーを用いて洗浄するときは、それぞれ、ｔ１＝１．５〜２．５ｍｍであり、密度は２００〜２５０本／ｃｍ２であり、クッション部材の硬さが２３０±３０Ｎであり、厚さｔ２＝２５ｍｍ±５ｍｍである。
【００３７】
また、上記した条件を満たせば、特許文献１に記載されているような、厚み方向の圧縮力で厚み寸法が０．３ｍｍ減少したときの圧縮応力（ｍｇｆ／ｃｍ2（ただし、１ｍｇｆ／ｃｍ2＝１×１０-6ｋｇｆ／ｃｍ2））を立毛層部３の単繊維密度（本／ｃｍ2）で除して算出される初期圧縮応力指数（ｍｇｆ／本）が０．１〜１５．０である、カットパイルも利用可能である。
【００３８】
図面を参照してこの発明の実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００３９】
この発明に係る洗浄パッドは床面の汚れを少ない洗剤の量で洗浄可能であるため、業務用の洗浄パッドとして有利に利用される。
【符号の説明】
【００４０】
１０  洗浄パッド、１１  洗浄部、１２  クッション部材、１３  外部部材取付部。
【図１】
0005787528.tif 000006
【図２】
0005787528.tif 000007
【図３】
0005787528.tif 000008
【図４】
0005787528.tif 000009
【図５】
0005787528.tif 000010